【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
通信装置と他の通信装置とからなり、
前記通信装置は、
第１の暗号鍵を生成する第１の暗号鍵生成手段と、
複製されることが許されない情報、および前記情報を移動させる権利を表す移動権限鍵を記憶している第１の記憶手段と、
第１の暗号方式を用いて、前記第１の暗号鍵を、前記移動権限鍵で暗号化する第１の暗号化手段と、
前記第１の暗号方式で暗号化された前記第１の暗号鍵を他の通信装置に送信するとともに、前記他の通信装置から送信されてくる、第２の暗号方式を用いて暗号化されている第２の暗号鍵を受信する第１の送受信手段と、
前記第２の暗号方式を用いて、前記第２の暗号鍵を、前記移動権限鍵で復号する第１の復号手段と、
前記第１の復号手段により復号された結果得られる前記第２の暗号鍵が、前記第１の暗号鍵と一致するかどうかを判定する制御手段と
を備え、
前記他の通信装置は、
前記移動権限鍵を記憶している第２の記憶手段と、
前記通信装置から送信されてくる、前記第１の暗号方式で暗号化された前記第１の暗号鍵を受信するとともに、前記第２の暗号方式を用いて暗号化された第２の暗号鍵を前記通信装置に送信する第２の送受信手段と、
前記第１の暗号方式で暗号化された前記第１の暗号鍵を、前記移動権限鍵で復号する第２の復号手段と、
前記第２の暗号鍵として、前記第２の復号手段により復号された結果得られる前記第１の暗号鍵を、前記移動権限鍵で前記第２の暗号方式により暗号化する第２の暗号化手段と
を備え、
前記通信装置において、前記第１の暗号鍵と前記第２の暗号鍵が一致する場合に、
前記第１の暗号鍵生成手段は、第３の暗号鍵をさらに生成し、
前記第１の暗号化手段は、さらに、前記情報を前記第３の暗号鍵で暗号化し、前記情報が前記第３の暗号鍵で暗号化されて得られた暗号化情報を前記第１の暗号鍵で暗号化するとともに、前記第３の暗号鍵を前記第１の暗号鍵で暗号化し、
前記第１の記憶手段は、前記第３の暗号鍵が前記第１の暗号鍵で暗号化されて得られた暗号化暗号鍵および前記暗号化情報をさらに記憶し、
前記第１の送受信手段は、前記暗号化情報が前記第１の暗号鍵で暗号化されて得られた二重暗号化情報および前記暗号化暗号鍵を、前記他の通信装置にさらに送信するとともに、前記他の通信装置から送信されてくる、前記二重暗号化情報を取得した旨の第１の完了通知、および、前記暗号化暗号鍵を取得した旨の第２の完了通知を、さらに受信し、
前記制御手段は、さらに、前記暗号化情報が前記第１の記憶手段に記憶された場合に前記第１の記憶手段に記憶されている前記情報を消去し、前記第１の完了通知が前記第１の送受信手段により受信された場合に前記第１の記憶手段に記憶されている前記暗号化情報を消去し、前記第２の完了通知が前記第１の送受信手段により受信された場合に前記第１の記憶手段に記憶されている前記暗号化暗号鍵を消去し、
前記他の通信装置において、
前記第２の送受信手段は、前記通信装置から送信されてくる、前記二重暗号化情報および前記暗号化暗号鍵をさらに受信するとともに、前記第１および第２の完了通知を前記通信装置にさらに送信し、
前記第２の復号手段は、前記二重暗号化情報および前記暗号化暗号鍵を前記第１の暗号鍵で、さらに復号するとともに、前記二重暗号化情報を復号して得られた前記暗号化情報を前記第３の暗号鍵で、さらに復号し、
前記第２の記憶手段は、前記第１の暗号鍵、前記暗号化情報、および、前記暗号化情報を復号して得られる前記情報をさらに記憶する
通信システム。
【請求項２】
前記通信装置と前記他の通信装置との間で、データを中継する中継装置をさらに備え、
前記中継装置は、
第４および第５の暗号鍵を生成する第３の暗号鍵生成手段と、
前記通信装置から前記第４の暗号鍵で暗号化されて送信されてくる、前記第１の暗号鍵、前記二重暗号化情報、および、前記暗号化暗号鍵を復号するとともに、前記他の通信装置から前記第５の暗号鍵で暗号化されて送信されてくる、前記第２の暗号鍵、並びに前記第１および第２の完了通知を復号する第３の復号手段と、
前記第３の復号手段により復号された前記第１の暗号鍵、前記二重暗号化情報、および前記暗号化暗号鍵を前記第５の暗号鍵で暗号化するとともに、前記第３の復号手段により復号された前記第２の暗号鍵、並びに前記第１および第２の完了通知を前記第４の暗号鍵で暗号化する第３の暗号化手段と、
前記通信装置から前記第４の暗号鍵で暗号化されて送信されてくる、前記第１の暗号鍵を受信して、前記第３の暗号化手段により前記第５の暗号鍵で暗号化された前記第１の暗号鍵を前記他の通信装置に送信し、
前記他の通信装置から前記第５の暗号鍵で暗号化されて送信されてくる前記第２の暗号鍵を受信して、前記第３の暗号化手段により前記第４の暗号鍵で暗号化された前記第２の暗号鍵を前記通信装置に送信し、
前記通信装置から前記第４の暗号鍵で暗号化されて送信されてくる、前記二重暗号化情報および前記暗号化暗号鍵を受信して、前記第３の暗号化手段により前記第５の暗号鍵で暗号化された前記二重暗号化情報および前記暗号化暗号鍵を前記他の通信装置に送信し、
前記他の通信装置から前記第５の暗号鍵で暗号化されて送信されてくる、前記第１および第２の完了通知を受信して、前記第３の暗号化手段により前記第４の暗号鍵で暗号化された前記第１および第２の完了通知を前記他の通信装置に送信する第３の送受信手段と
を有し、
前記通信装置において、
前記第１の送受信手段は、前記中継装置から前記第４の暗号鍵をさらに受信し、前記第４の暗号鍵で暗号化された前記二重暗号化情報および前記暗号化暗号鍵を、前記中継装置を介して前記他の通信装置に送信するとともに、前記中継装置を介して前記他の通信装置から送信されてくる、前記第４の暗号鍵で暗号化された前記第１および第２の完了通知を受信し、
前記第１の暗号化手段は、前記第４の暗号鍵で暗号化された前記二重暗号化情報および前記暗号化暗号鍵を、前記第４の暗号鍵でさらに暗号化し、
前記第１の復号手段は、前記第１および第２の完了通知を、前記第４の暗号鍵でさらに復号し、
前記他の通信装置において、
前記第２の送受信手段は、前記中継装置から前記第５の暗号鍵をさらに受信し、前記第５の暗号鍵で暗号化された前記二重前記暗号化情報および前記暗号化暗号鍵を、前記中継装置を介して前記通信装置から受信するとともに、前記第５の暗号鍵で暗号化された前記第１および第２の完了通知を、前記中継装置を介して前記通信装置に送信し、
前記第２の復号手段は、前記二重暗号化情報および前記暗号化暗号鍵を、前記第５の暗号鍵でさらに復号し、
前記第２の暗号化手段は、前記第１および第２の完了通知を、前記第５の暗号鍵でさらに暗号化する
請求項１に記載の通信システム。
【請求項３】
第１の暗号鍵を生成する暗号鍵生成手段と、
複製されることが許されない情報、および前記情報を移動させる権利を表す移動権限鍵を記憶している記憶手段と、
第１の暗号方式を用いて、前記第１の暗号鍵を、前記移動権限鍵で暗号化する暗号化手段と、
前記第１の暗号方式で暗号化された前記第１の暗号鍵を他の通信装置に送信するとともに、前記他の通信装置から送信されてくる、第２の暗号方式を用いて暗号化されている第２の暗号鍵を受信する送受信手段と、
前記第２の暗号方式を用いて、前記第２の暗号鍵を、前記移動権限鍵で復号する復号手段と、
前記復号手段により復号された結果得られる前記第２の暗号鍵が、前記第１の暗号鍵と一致するかどうかを判定する制御手段と
を備え、
前記第１の暗号鍵と前記第２の暗号鍵が一致する場合に、
前記暗号鍵生成手段は、第３の暗号鍵をさらに生成し、
前記暗号化手段は、さらに、前記情報を前記第３の暗号鍵で暗号化し、前記情報が前記第３の暗号鍵で暗号化されて得られた暗号化情報を前記第１の暗号鍵で暗号化するとともに、前記第３の暗号鍵を前記第１の暗号鍵で暗号化し、
前記記憶手段は、前記第３の暗号鍵が前記第１の暗号鍵で暗号化されて得られた暗号化暗号鍵および前記暗号化情報をさらに記憶し、
前記送受信手段は、前記暗号化情報が前記第１の暗号鍵で暗号化されて得られた二重暗号化情報および前記暗号化暗号鍵を、前記他の通信装置にさらに送信するとともに、前記他の通信装置から送信されてくる、前記二重暗号化情報を取得した旨の第１の完了通知、および、前記暗号化暗号鍵を取得した旨の第２の完了通知を、さらに受信し、
前記制御手段は、さらに、前記暗号化情報が前記記憶手段に記憶された場合に前記記憶手段に記憶されている前記情報を消去し、前記第１の完了通知が前記送受信手段により受信された場合に前記記憶手段に記憶されている前記暗号化情報を消去し、前記第２の完了通知が前記送受信手段により受信された場合に前記記憶手段に記憶されている前記暗号化暗号鍵を消去する
通信装置。
【請求項４】
前記情報は、所定のサービスを利用する権利を表す情報であり、
前記記憶手段は、前記サービスを特定するサービス特定情報をさらに記憶し、
前記暗号化手段は、第１の暗号方式を用いて、前記第１の暗号鍵を、前記移動権限鍵および前記サービス特定情報で暗号化し、
前記復号手段は、前記第２の暗号方式を用いて、前記第２の暗号鍵を、前記移動権限鍵および前記サービス特定情報で復号する
請求項３に記載の通信装置。
【請求項５】
前記制御手段は、さらに、前記情報を前記他の通信装置に移動させる処理を複数のシーケンスに分類し、前記通信装置の現在のシーケンスを表すシーケンス情報を前記記憶手段に記憶させ、前記他の通信装置との通信が切断された場合に、前記記憶手段に記憶されている前記シーケンス情報に対応して、前記情報を前記他の通信装置に移動させる処理を再開させる
請求項３に記載の通信装置。
【請求項６】
前記記憶手段は、前記情報を前記他の通信装置に移動させる処理を許可する許可情報をさらに記憶し、
前記制御手段は、さらに、入力された許可情報が前記記憶手段に記憶されている前記許可情報と一致する場合に、前記情報を前記他の通信装置に移動させる処理を開始する
請求項３に記載の通信装置。
【請求項７】
前記送受信手段は、前記第１および第２の暗号鍵、前記二重暗号化情報、前記暗号化暗号鍵、並びに前記第１および第２の完了通知を、電磁波により非接触で送受信する
請求項３に記載の通信装置。
【請求項８】
第１の暗号鍵を生成する暗号鍵生成ステップと、
第１の暗号方式を用いて、前記第１の暗号鍵を、複製されることが許されない情報を移動させる権利を表す移動権限鍵で暗号化する暗号化ステップと、
前記第１の暗号方式で暗号化された前記第１の暗号鍵を他の通信装置に送信するとともに、前記他の通信装置から送信されてくる、第２の暗号方式を用いて暗号化されている第２の暗号鍵を受信する送受信ステップと、
前記第２の暗号方式を用いて、前記第２の暗号鍵を、前記移動権限鍵で復号する復号ステップと、
前記復号ステップの処理により復号された結果得られる前記第２の暗号鍵が、前記第１の暗号鍵と一致するかどうかを判定する制御ステップと
を含み、
前記第１の暗号鍵と前記第２の暗号鍵が一致する場合に、
前記暗号鍵生成ステップの処理は、第３の暗号鍵をさらに生成し、
前記暗号化ステップの処理は、さらに、記憶手段に記憶されている前記情報を前記第３の暗号鍵で暗号化し、前記情報が前記第３の暗号鍵で暗号化されて得られた暗号化情報を前記第１の暗号鍵で暗号化するとともに、前記第３の暗号鍵を前記第１の暗号鍵で暗号化し、
前記制御ステップの処理は、前記第３の暗号鍵が前記第１の暗号鍵で暗号化されて得られた暗号化暗号鍵および前記暗号化情報をさらに前記記憶手段に記憶させ、
前記送受信ステップの処理は、前記暗号化情報が前記第１の暗号鍵で暗号化されて得られた二重暗号化情報および前記暗号化暗号鍵を、前記他の通信装置にさらに送信するとともに、前記他の通信装置から送信されてくる、前記二重暗号化情報を取得した旨の第１の完了通知、および、前記暗号化暗号鍵を取得した旨の第２の完了通知を、さらに受信し、
前記制御ステップの処理は、さらに、前記暗号化情報が前記記憶手段に記憶された場合に前記記憶手段に記憶されている前記情報を消去し、前記第１の完了通知が前記送受信ステップの処理により受信された場合に前記記憶手段に記憶されている前記暗号化情報を消去し、前記第２の完了通知が前記送受信ステップの処理により受信された場合に前記記憶手段に記憶されている前記暗号化暗号鍵を消去する
通信方法。
【請求項９】
複製されることが許されない情報を移動させる権利を表す移動権限鍵を記憶している記憶手段と、
他の通信装置から送信されてくる、第１の暗号方式で暗号化された第１の暗号鍵を受信するとともに、第２の暗号方式を用いて暗号化された第２の暗号鍵を前記他の通信装置に送信する送受信手段と、
前記第１の暗号方式で暗号化された前記第１の暗号鍵を、前記移動権限鍵で復号する復号手段と、
前記第２の暗号鍵として、前記復号手段により復号された結果得られる前記第１の暗号鍵を、前記移動権限鍵で前記第２の暗号方式により暗号化する暗号化手段と
を備え、
前記送受信手段は、前記他の通信装置から送信されてくる、前記情報が前記第１の暗号鍵で暗号化された後さらに第３の暗号鍵で暗号化されて得られた二重暗号化情報、および、前記第３の暗号鍵が前記第１の暗号鍵で暗号化されて得られた暗号化暗号鍵をさらに受信するとともに、前記二重暗号化情報を取得した旨の第１の完了通知および前記暗号化暗号鍵を取得した旨の第２の完了通知を前記他の通信装置にさらに送信し、
前記復号手段は、前記二重暗号化情報および前記暗号化暗号鍵を、前記第１の暗号鍵でさらに復号するとともに、前記二重暗号化情報を復号して得られた前記暗号化情報を、前記暗号化暗号鍵を復号して得られた前記第３の暗号鍵で、さらに復号し、
前記記憶手段は、前記送受信手段により受信された前記第１の暗号鍵、前記復号手段により復号されて得られた前記暗号化情報、および、前記暗号化情報を復号して得られた前記情報をさらに記憶する
通信装置。
【請求項１０】
前記情報は、所定のサービスを利用する権利を表す情報であり、
前記記憶手段は、前記サービスを特定するサービス特定情報をさらに記憶し、
前記復号手段は、前記第１の暗号方式で暗号化された前記第１の暗号鍵を、前記移動権限鍵および前記サービス特定情報で復号し、
前記暗号化手段は、前記第２の暗号鍵として、前記復号手段により復号された結果得られる前記第１の暗号鍵を、前記移動権限鍵および前記サービス特定情報で前記第２の暗号方式により暗号化する
請求項９に記載の通信装置。
【請求項１１】
前記送受信手段は、前記第１および第２の暗号鍵、前記二重暗号化情報、前記暗号化暗号鍵、並びに前記第１および第２の完了通知を、電磁波により非接触で送受信する
請求項９に記載の通信装置。
【請求項１２】
他の通信装置から送信されてくる、第１の暗号方式で暗号化された第１の暗号鍵を受信するとともに、第２の暗号方式を用いて暗号化された第２の暗号鍵を前記他の通信装置に送信する送受信ステップと、
前記第１の暗号方式で暗号化された前記第１の暗号鍵を、記憶手段に記憶されている複製されることが許されない情報を移動させる権利を表す移動権限鍵で復号する復号ステップと、
前記第２の暗号鍵として、前記復号ステップの処理により復号された結果得られる前記第１の暗号鍵を、前記移動権限鍵で前記第２の暗号方式により暗号化する暗号化ステップと
を含み、
前記送受信ステップの処理は、前記他の通信装置から送信されてくる、前記情報が前記第１の暗号鍵で暗号化された後さらに第３の暗号鍵で暗号化されて得られた二重暗号化情報、および、前記第３の暗号鍵が前記第１の暗号鍵で暗号化されて得られた暗号化暗号鍵をさらに受信するとともに、前記二重暗号化情報を取得した旨の第１の完了通知および前記暗号化暗号鍵を取得した旨の第２の完了通知を前記他の通信装置にさらに送信し、
前記復号ステップの処理は、前記二重暗号化情報および前記暗号化暗号鍵を前記第１の暗号鍵で、さらに復号するとともに、前記二重暗号化情報を復号して得られた前記暗号化情報を、前記暗号化暗号鍵を復号して得られた前記第３の暗号鍵で、さらに復号し、
前記第１の暗号鍵、前記暗号化情報、および、前記暗号化情報を復号して得られる前記情報が、前記記憶手段に記憶される
通信方法。
【手続補正２】
【補正対象書類名】明細書
【補正対象項目名】００１１
【補正方法】変更
【補正の内容】
【００１１】
本発明の通信システムは、通信装置と他の通信装置とからなり、通信装置は、第１の暗号鍵を生成する第１の暗号鍵生成手段と、複製されることが許されない情報、およびその情報を移動させる権利を表す移動権限鍵を記憶している第１の記憶手段と、第１の暗号方式を用いて、第１の暗号鍵を、移動権限鍵で暗号化する第１の暗号化手段と、第１の暗号方式で暗号化された第１の暗号鍵を他の通信装置に送信するとともに、他の通信装置から送信されてくる、第２の暗号方式を用いて暗号化されている第２の暗号鍵を受信する第１の送受信手段と、第２の暗号方式を用いて、第２の暗号鍵を、移動権限鍵で復号する第１の復号手段と、第１の復号手段により復号された結果得られる第２の暗号鍵が、第１の暗号鍵と一致するかどうかを判定する制御手段とを備え、他の通信装置は、移動権限鍵を記憶している第２の記憶手段と、通信装置から送信されてくる、第１の暗号方式で暗号化された第１の暗号鍵を受信するとともに、第２の暗号方式を用いて暗号化された第２の暗号鍵を通信装置に送信する第２の送受信手段と、第１の暗号方式で暗号化された第１の暗号鍵を、移動権限鍵で復号する第２の復号手段と、第２の暗号鍵として、第２の復号手段により復号された結果得られる第１の暗号鍵を、移動権限鍵で第２の暗号方式により暗号化する第２の暗号化手段とを備え、通信装置において、第１の暗号鍵と第２の暗号鍵が一致する場合に、第１の暗号鍵生成手段は、第３の暗号鍵をさらに生成し、第１の暗号化手段は、さらに、複製されることが許されない情報を第３の暗号鍵で暗号化し、複製されることが許されない情報が第３の暗号鍵で暗号化されて得られた暗号化情報を第１の暗号鍵で暗号化するとともに、第３の暗号鍵を第１の暗号鍵で暗号化し、第１の記憶手段は、第３の暗号鍵が第１の暗号鍵で暗号化されて得られた暗号化暗号鍵および暗号化情報をさらに記憶し、第１の送受信手段は、暗号化情報が第１の暗号鍵で暗号化されて得られた二重暗号化情報および暗号化暗号鍵を、他の通信装置にさらに送信するとともに、他の通信装置から送信されてくる、二重暗号化情報を取得した旨の第１の完了通知、および、暗号化暗号鍵を取得した旨の第２の完了通知を、さらに受信し、制御手段は、さらに、暗号化情報が第１の記憶手段に記憶された場合に第１の記憶手段に記憶されている複製されることが許されない情報を消去し、第１の完了通知が第１の送受信手段により受信された場合に第１の記憶手段に記憶されている暗号化情報を消去し、第２の完了通知が第１の送受信手段により受信された場合に第１の記憶手段に記憶されている暗号化暗号鍵を消去し、他の通信装置において、第２の送受信手段は、通信装置から送信されてくる、二重暗号化情報および暗号化暗号鍵をさらに受信するとともに、第１および第２の完了通知を通信装置にさらに送信し、第２の復号手段は、二重暗号化情報および暗号化暗号鍵を第１の暗号鍵で、さらに復号するとともに、二重暗号化情報を復号して得られた暗号化情報を第３の暗号鍵で、さらに復号し、第２の記憶手段は、第１の暗号鍵、暗号化情報、および、暗号化情報を復号して得られる複製されることが許されない情報をさらに記憶する。
【手続補正３】
【補正対象書類名】明細書
【補正対象項目名】００１５
【補正方法】変更
【補正の内容】
【００１５】
さらに、通信装置においては、第１の暗号鍵と第２の暗号鍵が一致する場合に、第３の暗号鍵がさらに生成され、複製されることが許されない情報が第３の暗号鍵で暗号化され、第３の暗号鍵で暗号化されて得られた暗号化情報が第１の暗号鍵で暗号化されるとともに、第３の暗号鍵が第１の暗号鍵で暗号化される。そして、第３の暗号鍵が第１の暗号鍵で暗号化されて得られた暗号化暗号鍵および暗号化情報が記憶され、暗号化情報が第１の暗号鍵で暗号化されて得られた二重暗号化情報および暗号化暗号鍵が、他の通信装置に送信されるとともに、他の通信装置から送信されてくる、二重暗号化情報を取得した旨の第１の完了通知、および、暗号化暗号鍵を取得した旨の第２の完了通知が、受信され、暗号化情報が第１の記憶手段に記憶された場合に第１の記憶手段に記憶されている複製されることが許されない情報が消去され、第１の完了通知が第１の送受信手段により受信された場合に第１の記憶手段に記憶されている暗号化情報が消去され、第２の完了通知が第１の送受信手段により受信された場合に第１の記憶手段に記憶されている暗号化暗号鍵が消去される。
【手続補正４】
【補正対象書類名】明細書
【補正対象項目名】００１６
【補正方法】変更
【補正の内容】
【００１６】
また、他の通信装置においては、通信装置から送信されてくる、二重暗号化情報および暗号化暗号鍵がさらに受信されるとともに、第１および第２の完了通知が通信装置にさらに送信され、二重暗号化情報および暗号化暗号鍵が第１の暗号鍵で、さらに復号されるとともに、二重暗号化情報を復号して得られた暗号化情報が第３の暗号鍵で、さらに復号され、第１の暗号鍵、暗号化情報、および、暗号化情報を復号して得られる複製されることが許されない情報が記憶手段に記憶される。
【手続補正５】
【補正対象書類名】明細書
【補正対象項目名】００１７
【補正方法】変更
【補正の内容】
【００１７】
本発明の第１の通信装置は、第１の暗号鍵を生成する暗号鍵生成手段と、複製されることが許されない情報、およびその情報を移動させる権利を表す移動権限鍵を記憶している記憶手段と、第１の暗号方式を用いて、第１の暗号鍵を、移動権限鍵で暗号化する暗号化手段と、第１の暗号方式で暗号化された第１の暗号鍵を他の通信装置に送信するとともに、他の通信装置から送信されてくる、第２の暗号方式を用いて暗号化されている第２の暗号鍵を受信する送受信手段と、第２の暗号方式を用いて、第２の暗号鍵を、移動権限鍵で復号する復号手段と、復号手段により復号された結果得られる第２の暗号鍵が、第１の暗号鍵と一致するかどうかを判定する制御手段とを備え、第１の暗号鍵と第２の暗号鍵が一致する場合に、暗号鍵生成手段は、第３の暗号鍵をさらに生成し、暗号化手段は、さらに、情報を第３の暗号鍵で暗号化し、情報が第３の暗号鍵で暗号化されて得られた暗号化情報を第１の暗号鍵で暗号化するとともに、第３の暗号鍵を第１の暗号鍵で暗号化し、記憶手段は、第３の暗号鍵が第１の暗号鍵で暗号化されて得られた暗号化暗号鍵および暗号化情報をさらに記憶し、送受信手段は、暗号化情報が第１の暗号鍵で暗号化されて得られた二重暗号化情報および暗号化暗号鍵を、他の通信装置にさらに送信するとともに、他の通信装置から送信されてくる、二重暗号化情報を取得した旨の第１の完了通知、および、暗号化暗号鍵を取得した旨の第２の完了通知を、さらに受信し、制御手段は、さらに、暗号化情報が記憶手段に記憶された場合に記憶手段に記憶されている複製されることが許されない情報を消去し、第１の完了通知が送受信手段により受信された場合に記憶手段に記憶されている暗号化情報を消去し、第２の完了通知が送受信手段により受信された場合に記憶手段に記憶されている暗号化暗号鍵を消去する。
【手続補正６】
【補正対象書類名】明細書
【補正対象項目名】００１８
【補正方法】変更
【補正の内容】
【００１８】
複製されることが許されない情報は、所定のサービスを利用する権利を表す情報であり、記憶手段には、サービスを特定するサービス特定情報をさらに記憶させ、暗号化手段には、第１の暗号方式を用いて、第１の暗号鍵を、移動権限鍵およびサービス特定情報で暗号化させ、復号手段には、第２の暗号方式を用いて、第２の暗号鍵を、移動権限鍵およびサービス特定情報で復号させることができる。
【手続補正７】
【補正対象書類名】明細書
【補正対象項目名】００１９
【補正方法】変更
【補正の内容】
【００１９】
制御手段には、さらに、複製されることが許されない情報を他の通信装置に移動させる処理を複数のシーケンスに分類し、通信装置の現在のシーケンスを表すシーケンス情報を記憶手段に記憶させ、他の通信装置との通信が切断された場合に、記憶手段に記憶されているシーケンス情報に対応して、複製されることが許されない情報を他の通信装置に移動させる処理を再開させることができる。
【手続補正８】
【補正対象書類名】明細書
【補正対象項目名】００２０
【補正方法】変更
【補正の内容】
【００２０】
記憶手段には、複製されることが許されない情報を他の通信装置に移動させる処理を許可する許可情報をさらに記憶させ、制御手段には、さらに、入力された許可情報が記憶手段に記憶されている許可情報と一致する場合に、複製されることが許されない情報を他の通信装置に移動させる処理を開始させることができる。
【手続補正９】
【補正対象書類名】明細書
【補正対象項目名】００２２
【補正方法】変更
【補正の内容】
【００２２】
本発明の第１の通信方法は、第１の暗号鍵を生成する暗号鍵生成ステップと、第１の暗号方式を用いて、第１の暗号鍵を、複製されることが許されない情報を移動させる権利を表す移動権限鍵で暗号化する暗号化ステップと、第１の暗号方式で暗号化された第１の暗号鍵を他の通信装置に送信するとともに、他の通信装置から送信されてくる、第２の暗号方式を用いて暗号化されている第２の暗号鍵を受信する送受信ステップと、第２の暗号方式を用いて、第２の暗号鍵を、移動権限鍵で復号する復号ステップと、復号ステップの処理により復号された結果得られる第２の暗号鍵が、第１の暗号鍵と一致するかどうかを判定する制御ステップとを含み、第１の暗号鍵と第２の暗号鍵が一致する場合に、暗号鍵生成ステップの処理は、第３の暗号鍵をさらに生成し、暗号化ステップの処理は、さらに、記憶手段に記憶されている複製されることが許されない情報を第３の暗号鍵で暗号化し、複製されることが許されない情報が第３の暗号鍵で暗号化されて得られた暗号化情報を第１の暗号鍵で暗号化するとともに、第３の暗号鍵を第１の暗号鍵で暗号化し、制御ステップの処理は、第３の暗号鍵が第１の暗号鍵で暗号化されて得られた暗号化暗号鍵および暗号化情報をさらに記憶手段に記憶させ、送受信ステップの処理は、暗号化情報が第１の暗号鍵で暗号化されて得られた二重暗号化情報および暗号化暗号鍵を、他の通信装置にさらに送信するとともに、他の通信装置から送信されてくる、二重暗号化情報を取得した旨の第１の完了通知、および、暗号化暗号鍵を取得した旨の第２の完了通知を、さらに受信し、制御ステップの処理は、さらに、暗号化情報が記憶手段に記憶された場合に記憶手段に記憶されている複製されることが許されない情報を消去し、第１の完了通知が送受信ステップの処理により受信された場合に記憶手段に記憶されている暗号化情報を消去し、第２の完了通知が送受信ステップの処理により受信された場合に記憶手段に記憶されている暗号化暗号鍵を消去する。
【手続補正１０】
【補正対象書類名】明細書
【補正対象項目名】００２３
【補正方法】変更
【補正の内容】
【００２３】
本発明第１の通信装置および方法においては、第１の暗号鍵が生成され、第１の暗号方式を用いて、第１の暗号鍵が、複製されることが許されない情報を移動させる権利を表す移動権限鍵で暗号化され、第１の暗号方式で暗号化された第１の暗号鍵が他の通信装置に送信されるとともに、他の通信装置から送信されてくる、第２の暗号方式を用いて暗号化されている第２の暗号鍵が受信される。そして、第２の暗号方式を用いて、第２の暗号鍵が、移動権限鍵で復号され、復号された結果得られる第２の暗号鍵が、第１の暗号鍵と一致するかどうかが判定される。さらに、第１の暗号鍵と第２の暗号鍵が一致する場合に、第３の暗号鍵がさらに生成され、記憶手段に記憶されている複製されることが許されない情報が第３の暗号鍵でさらに暗号化され、第３の暗号鍵で暗号化されて得られた暗号化情報が第１の暗号鍵で暗号化されるとともに、第３の暗号鍵が第１の暗号鍵で暗号化され、第３の暗号鍵が第１の暗号鍵で暗号化されて得られた暗号化暗号鍵および暗号化情報がさらに記憶手段に記憶され、暗号化情報が第１の暗号鍵で暗号化されて得られた二重暗号化情報および暗号化暗号鍵が、他の通信装置にさらに送信されるとともに、他の通信装置から送信されてくる、二重暗号化情報を取得した旨の第１の完了通知、および、暗号化暗号鍵を取得した旨の第２の完了通知が、さらに受信される。さらに、暗号化情報が記憶手段に記憶された場合に記憶手段に記憶されている複製されることが許されない情報が消去され、第１の完了通知が受信された場合に記憶手段に記憶されている暗号化情報が消去され、第２の完了通知が受信された場合に記憶手段に記憶されている暗号化暗号鍵が消去される。
【手続補正１１】
【補正対象書類名】明細書
【補正対象項目名】００２４
【補正方法】変更
【補正の内容】
【００２４】
本発明の第２の通信装置は、複製されることが許されない情報を移動させる権利を表す移動権限鍵を記憶している記憶手段と、他の通信装置から送信されてくる、第１の暗号方式で暗号化された第１の暗号鍵を受信するとともに、第２の暗号方式を用いて暗号化された第２の暗号鍵を他の通信装置に送信する送受信手段と、第１の暗号方式で暗号化された第１の暗号鍵を、移動権限鍵で復号する復号手段と、第２の暗号鍵として、復号手段により復号された結果得られる第１の暗号鍵を、移動権限鍵で第２の暗号方式により暗号化する暗号化手段とを備え、送受信手段は、他の通信装置から送信されてくる、複製されることが許されない情報が第１の暗号鍵で暗号化された後さらに第３の暗号鍵で暗号化されて得られた二重暗号化情報、および、第３の暗号鍵が第１の暗号鍵で暗号化されて得られた暗号化暗号鍵をさらに受信するとともに、二重暗号化情報を取得した旨の第１の完了通知および暗号化暗号鍵を取得した旨の第２の完了通知を他の通信装置にさらに送信し、復号手段は、二重暗号化情報および暗号化暗号鍵を、第１の暗号鍵でさらに復号するとともに、二重暗号化情報を復号して得られた暗号化情報を、暗号化暗号鍵を復号して得られた第３の暗号鍵で、さらに復号し、記憶手段は、送受信手段により受信された第１の暗号鍵、復号手段により復号されて得られた暗号化情報、および、暗号化情報を復号して得られた複製されることが許されない情報をさらに記憶する。
【手続補正１２】
【補正対象書類名】明細書
【補正対象項目名】００２５
【補正方法】変更
【補正の内容】
【００２５】
複製されることが許されない情報は、所定のサービスを利用する権利を表す情報であり、記憶手段には、サービスを特定するサービス特定情報をさらに記憶させ、復号手段には、第１の暗号方式で暗号化された第１の暗号鍵を、移動権限鍵およびサービス特定情報で復号させ、暗号化手段には、第２の暗号鍵として、復号手段により復号された結果得られる第１の暗号鍵を、移動権限鍵およびサービス特定情報で第２の暗号方式により暗号化させることができる。
【手続補正１３】
【補正対象書類名】明細書
【補正対象項目名】００２７
【補正方法】変更
【補正の内容】
【００２７】
本発明の第２の通信方法は、他の通信装置から送信されてくる、第１の暗号方式で暗号化された第１の暗号鍵を受信するとともに、第２の暗号方式を用いて暗号化された第２の暗号鍵を他の通信装置に送信する送受信ステップと、第１の暗号方式で暗号化された第１の暗号鍵を、記憶手段に記憶されている複製されることが許されない情報を移動させる権利を表す移動権限鍵で復号する復号ステップと、第２の暗号鍵として、復号ステップの処理により復号された結果得られる第１の暗号鍵を、移動権限鍵で第２の暗号方式により暗号化する暗号化ステップとを含み、送受信ステップの処理は、他の通信装置から送信されてくる、複製されることが許されない情報が第１の暗号鍵で暗号化された後さらに第３の暗号鍵で暗号化されて得られた二重暗号化情報、および、第３の暗号鍵が第１の暗号鍵で暗号化されて得られた暗号化暗号鍵をさらに受信するとともに、二重暗号化情報を取得した旨の第１の完了通知および暗号化暗号鍵を取得した旨の第２の完了通知を通信装置にさらに送信し、復号ステップの処理は、二重暗号化情報および暗号化暗号鍵を第１の暗号鍵で、さらに復号するとともに、二重暗号化情報を復号して得られた暗号化情報を、暗号化暗号鍵を復号して得られた第３の暗号鍵で、さらに復号し、第１の暗号鍵、暗号化情報、および、暗号化情報を復号して得られる複製されることが許されない情報が、記憶手段に記憶される。
【手続補正１４】
【補正対象書類名】明細書
【補正対象項目名】００２８
【補正方法】変更
【補正の内容】
【００２８】
本発明第２の通信装置および方法においては、他の通信装置から送信されてくる、第１の暗号方式で暗号化された第１の暗号鍵が受信されるとともに、第２の暗号方式を用いて暗号化された第２の暗号鍵が他の通信装置に送信される。また、第１の暗号方式で暗号化された第１の暗号鍵が、記憶手段に記憶されている複製されることが許されない情報を移動させる権利を表す移動権限鍵で復号され、第２の暗号鍵として、復号された結果得られる第１の暗号鍵が、移動権限鍵で第２の暗号方式により暗号化される。さらに、他の通信装置から送信されてくる、複製されることが許されない情報が第１の暗号鍵で暗号化された後さらに第３の暗号鍵で暗号化されて得られた二重暗号化情報、および、第３の暗号鍵が第１の暗号鍵で暗号化されて得られた暗号化暗号鍵がさらに受信されるとともに、二重暗号化情報を取得した旨の第１の完了通知および暗号化暗号鍵を取得した旨の第２の完了通知が他の通信装置にさらに送信され、二重暗号化情報および暗号化暗号鍵が第１の暗号鍵で、さらに復号されるとともに、二重暗号化情報を復号して得られた暗号化情報が、暗号化暗号鍵を復号して得られた第３の暗号鍵で、さらに復号され、第１の暗号鍵、暗号化情報、および、暗号化情報を復号して得られる複製されることが許されない情報が、記憶手段に記憶される。
【手続補正１５】
【補正対象書類名】明細書
【補正対象項目名】００３２
【補正方法】変更
【補正の内容】
【００３２】
請求項１に記載の通信システム（例えば、図１の通信システム１）は、
通信装置（例えば、図１の通信装置１１Ａ）と他の通信装置（例えば、図１の通信装置１１Ｂ）とからなり、
前記通信装置は、
第１の暗号鍵（例えば、乱数Ｒ1）を生成する第１の暗号鍵生成手段（例えば、図１の乱数発生部２４）と、
複製されることが許されない情報（例えば、権利情報Ｐk）、および前記情報を移動させる権利を表す移動権限鍵を記憶している第１の記憶手段（例えば、図１の記憶部２５）と、
第１の暗号方式を用いて、前記第１の暗号鍵を、前記移動権限鍵で暗号化する第１の暗号化手段（例えば、図１の暗号化部２２）と、
前記第１の暗号方式で暗号化された前記第１の暗号鍵（例えば、暗号化乱数Ｒ1A）を前記他の通信装置に送信するとともに、他の通信装置から送信されてくる、第２の暗号方式を用いて暗号化されている第２の暗号鍵（例えば、暗号化乱数Ｒ1B）を受信する第１の送受信手段（例えば、図１の送受信部２１）と、
前記第２の暗号方式を用いて、前記第２の暗号鍵を、前記移動権限鍵で復号する第１の復号手段（例えば、図１の復号部２３）と、
前記第１の復号手段により復号された結果得られる前記第２の暗号鍵が、前記第１の暗号鍵と一致するかどうかを判定する制御手段（例えば、図１の制御部２６）と
を備え、
前記他の通信装置は、
前記移動権限鍵を記憶している第２の記憶手段（例えば、図１の記憶部３５）と、
前記通信装置から送信されてくる、前記第１の暗号方式で暗号化された前記第１の暗号鍵を受信するとともに、前記第２の暗号方式を用いて暗号化された第２の暗号鍵を前記通信装置に送信する第２の送受信手段（例えば、図１の送受信部３１）と、
前記第１の暗号方式で暗号化された前記第１の暗号鍵を、前記移動権限鍵で復号する第２の復号手段（例えば、図１の復号部３３）と、
前記第２の暗号鍵として、前記第２の復号手段により復号された結果得られる前記第１の暗号鍵を、前記移動権限鍵で前記第２の暗号方式により暗号化する第２の暗号化手段（例えば、図１の暗号化部３２）と
を備え、
前記通信装置において、前記第１の暗号鍵と前記第２の暗号鍵が一致する場合に、
前記第１の暗号鍵生成手段は、第３の暗号鍵（例えば、乱数Ｒ2）をさらに生成し、
前記第１の暗号化手段は、さらに、前記情報を前記第３の暗号鍵で暗号化し、前記情報が前記第３の暗号鍵で暗号化されて得られた暗号化情報（例えば、暗号化権利情報Ｐk）を前記第１の暗号鍵で暗号化するとともに、前記第３の暗号鍵を前記第１の暗号鍵で暗号化し、
前記第１の記憶手段は、前記第３の暗号鍵が前記第１の暗号鍵で暗号化されて得られた暗号化暗号鍵（例えば、暗号化された権利情報暗号化鍵）および前記暗号化情報をさらに記憶し、
前記第１の送受信手段は、前記暗号化情報が前記第１の暗号鍵で暗号化されて得られた二重暗号化情報（例えば、二重暗号化権利情報Ｐk）および前記暗号化暗号鍵を、前記他の通信装置にさらに送信するとともに、前記他の通信装置から送信されてくる、前記二重暗号化情報を取得した旨の第１の完了通知、および、前記暗号化暗号鍵を取得した旨の第２の完了通知を、さらに受信し、
前記制御手段は、さらに、前記暗号化情報が前記第１の記憶手段に記憶された場合に前記第１の記憶手段に記憶されている前記情報を消去し、前記第１の完了通知が前記第１の送受信手段により受信された場合に前記第１の記憶手段に記憶されている前記暗号化情報を消去し、前記第２の完了通知が前記第１の送受信手段により受信された場合に前記第１の記憶手段に記憶されている前記暗号化暗号鍵を消去し、
前記他の通信装置において、
前記第２の送受信手段は、前記通信装置から送信されてくる、前記二重暗号化情報および前記暗号化暗号鍵をさらに受信するとともに、前記第１および第２の完了通知を前記通信装置にさらに送信し、
前記第２の復号手段は、前記二重暗号化情報および前記暗号化暗号鍵を前記第１の暗号鍵で、さらに復号するとともに、前記二重暗号化情報を復号して得られた前記暗号化情報を前記第３の暗号鍵で、さらに復号し、
前記第２の記憶手段は、前記第１の暗号鍵、前記暗号化情報、および、前記暗号化情報を復号して得られる前記情報をさらに記憶する。
【手続補正１６】
【補正対象書類名】明細書
【補正対象項目名】００３３
【補正方法】変更
【補正の内容】
【００３３】
請求項２に記載の通信システムは、
前記通信装置と前記他の通信装置との間で、データを中継する中継装置（例えば、図１のリーダライタ１２）をさらに備え、
前記中継装置は、
第４および第５の暗号鍵（乱数ｒ1およびｒ2）を生成する第３の暗号鍵生成手段（例えば、図１の乱数発生部４４）と、
前記通信装置から前記第４の暗号鍵で暗号化されて送信されてくる、前記第１の暗号鍵、前記二重暗号化情報、および、前記暗号化暗号鍵を復号するとともに、前記他の通信装置から前記第５の暗号鍵で暗号化されて送信されてくる、前記第２の暗号鍵、並びに前記第１および第２の完了通知を復号する第３の復号手段（例えば、図１の復号部４３）と、
前記第３の復号手段により復号された前記第１の暗号鍵、前記二重暗号化情報、および前記暗号化暗号鍵を前記第５の暗号鍵で暗号化するとともに、前記第３の復号手段により復号された前記第２の暗号鍵、並びに前記第１および第２の完了通知を前記第４の暗号鍵で暗号化する第３の暗号化手段（例えば、図１の暗号化部４２）と、
前記通信装置から前記第４の暗号鍵で暗号化されて送信されてくる、前記第１の暗号鍵を受信して、前記第３の暗号化手段により前記第５の暗号鍵で暗号化された前記第１の暗号鍵を前記他の通信装置に送信し、
前記他の通信装置から前記第５の暗号鍵で暗号化されて送信されてくる前記第２の暗号鍵を受信して、前記第３の暗号化手段により前記第４の暗号鍵で暗号化された前記第２の暗号鍵を前記通信装置に送信し、
前記通信装置から前記第４の暗号鍵で暗号化されて送信されてくる、前記二重暗号化情報および前記暗号化暗号鍵を受信して、前記第３の暗号化手段により前記第５の暗号鍵で暗号化された前記二重暗号化情報および前記暗号化暗号鍵を前記他の通信装置に送信し、
前記他の通信装置から前記第５の暗号鍵で暗号化されて送信されてくる、前記第１および第２の完了通知を受信して、前記第３の暗号化手段により前記第４の暗号鍵で暗号化された前記第１および第２の完了通知を前記他の通信装置に送信する第３の送受信手段（例えば、図１の送受信部４１）と
を有し、
前記通信装置において、
前記第１の送受信手段は、前記中継装置から前記第４の暗号鍵をさらに受信し、前記第４の暗号鍵で暗号化された前記二重暗号化情報および前記暗号化暗号鍵を、前記中継装置を介して前記他の通信装置に送信するとともに、前記中継装置を介して前記他の通信装置から送信されてくる、前記第４の暗号鍵で暗号化された前記第１および第２の完了通知を受信し、
前記第１の暗号化手段は、前記第４の暗号鍵で暗号化された前記二重暗号化情報および前記暗号化暗号鍵を、前記第４の暗号鍵でさらに暗号化し、
前記第１の復号手段は、前記第１および第２の完了通知を、前記第４の暗号鍵でさらに復号し、
前記他の通信装置において、
前記第２の送受信手段は、前記中継装置から前記第５の暗号鍵をさらに受信し、前記第５の暗号鍵で暗号化された前記二重前記暗号化情報および前記暗号化暗号鍵を、前記中継装置を介して前記通信装置から受信するとともに、前記第５の暗号鍵で暗号化された前記第１および第２の完了通知を、前記中継装置を介して前記通信装置に送信し、
前記第２の復号手段は、前記二重暗号化情報および前記暗号化暗号鍵を、前記第５の暗号鍵でさらに復号し、
前記第２の暗号化手段は、前記第１および第２の完了通知を、前記第５の暗号鍵でさらに暗号化する。